(57)【要約】【課題】  キャッシュレスで使用できるマッサージ機を安価に多量提供すると共に、マッサージ機の不正使用を防ぎ、かつマッサージ機の隣設ボックスを小型化すること。【解決手段】  識別コードＲＯＭ回路内装体から識別コードを非接触で読み取る識別コードリーダ５と、これを始動させる読み取り開始スイッチＳＷと、マッサージ部材用電源リレー６とを収納したボックスＢを電動マッサージ機４の脇に隣設する一方、前記電源リレー６の制御用タイマー回路７と識別コード照合部８とを他所に設置し、この照合部で前記リーダ５から読み出した識別コードと特定識別コードとを照合し、この照合完了出力で照合結果の如何に拘らず、前記リーダ５の読み取り作動を停止させると共に、照合結果が合致したとき、この合致出力で前記タイマー回路７を始動させ、前記ボックスＢ内の電源リレー６をオン状態にすることで、電動マッサージ機４を駆動可能にした。【選択図】図１
0003124930.tif 000002
【実用新案登録請求の範囲】
【請求項１】
電波送受式識別コードＲＯＭ回路内装体から識別コードを非接触で読み取る識別コードリーダと、これを始動させる読み取り開始スイッチと、マッサージ部材用電源リレーとをそれぞれ収納したボックスを電動マッサージ機の脇に隣設する一方、前記電源リレーの制御用タイマー回路と識別コード照合部とを他所に設置し、この照合部で前記リーダから読み出した識別コードと特定識別コードとを照合し、この照合完了出力で照合結果の如何に拘らず、前記リーダの読み取り作動を停止させると共に、照合結果が合致したとき、この合致出力で前記タイマー回路を始動させ、前記ボックス内の電源リレーをオン状態にすることで、電動マッサージ機を駆動可能にした電動マッサージ機の駆動制御装置。
【請求項２】
座面と、電動マッサージ部材を有する背もたれと、肘掛け部材とを連設した電動マッサージ機を用意し、使用時間を定めた読み出し専用の電波送受式識別コードＲＯＭ回路内装体から識別コードを非接触で読み取る識別コードリーダと、このリーダを始動させる自己復帰の読み取り開始スイッチと、前記マッサージ部材用電源リレーとをそれぞれ収納したボックスを前記肘掛け部材の脇に隣設する一方、前記電源リレーの制御用タイマー回路と、パソコン設定の識別コード照合部とをそれぞれ他所に設置し、前記照合部の照合入力端子と照合開始制御端子とに、それぞれ前記リーダの読み出し端子と前記読み取り開始スイッチを各別に接続すると共に、前記照合部の照合出力端子に前記リーダの作動制御入力端子と前記タイマー回路のカウント開始入力端子とを接続してなり、前記リーダからの読み出し識別コードと前記照合部内に予め設定した特定識別コードとを前記照合部で照合し、この照合完了出力で照合結果の如何に拘らず、前記リーダの無用な作動を停止させると共に、照合結果が合致したとき、この合致出力で前記タイマー回路を始動させ、その出力端子に接続したマッサージ機脇の電源リレーを所定時間オン状態にすることで、電動マッサージ部材を前記使用時間を定めた前記識別コードＲＯＭ回路内装体による所定時間だけ駆動可能にした電動マッサージ機の駆動制御装置。
【請求項３】
座面と、電動マッサージ部材を有する背もたれと、肘掛け部材とをそれぞれ連設した電動マッサージ機を用意し、使用時間を定めない電波送受式識別コードＲＯＭ回路内装体から識別コードを非接触で読み取る識別コードリーダと、このリーダを始動させる自己復帰の読み取り開始スイッチと、前記マッサージ部材用電源リレーとをそれぞれ収納したボックスを前記肘掛け部材の脇に隣設する一方、前記電源リレーの制御用タイマー回路と、パソコン設定の識別コード照合部とをそれぞれ他所に設置し、前記照合部の照合入力端子と照合開始制御端子とに、それぞれ前記識別コードリーダの読み出し端子と前記読み取り開始スイッチを各別に接続すると共に、前記照合部の照合出力端子に前記リーダの作動制御入力端子と前記タイマー回路のカウント開始入力端子とを接続してなり、前記リーダからの読み出し識別コードと前記照合部内に予め設定した特定識別コードとを前記照合部で照合し、この照合完了出力で照合結果の如何に拘らず、前記リーダの無用な作動を停止させると共に、照合結果が合致したとき、この合致出力で前記タイマー回路を始動させ、その出力端子に接続したマッサージ機脇の電源リレーを所定時間オン状態にすることで、前記電動マッサージ部材を所定時間だけ駆動可能にし、かつ、前記タイマー回路にマッサージ時間記憶部を接続し、この記憶部で記憶したマッサージ機使用時間データを、使用済の前記識別コードＲＯＭ回路内装体用リーダを設置した精算所で呼び出すことで、この精算所においてマッサージ機の使用料金を課金可能にした電動マッサージ機の駆動制御装置。
【請求項４】
前記識別コードＲＯＭ回路内装体として、識別コードＲＯＭ回路を内装した耐水性リストバンドを用いてなる請求項１から請求項３までのいずれか一つの請求項に記載の電動マッサージ機の駆動制御装置。
【請求項５】
前記識別コードＲＯＭ回路内装体として、識別コードＲＯＭ回路を内装したカードを用いてなる請求項１から請求項３までのいずれか一つの請求項に記載の電動マッサージ機の駆動制御装置。
【請求項６】
前記電源リレーに２方向性のシリコン制御整流素子（２方向性ＳＣＲ素子）による無接点式電源リレーを用いてなる請求項１から請求項５までのいずれか一つの請求項に記載の電動マッサージ機の駆動制御装置。
【考案の詳細な説明】
【技術分野】
【０００１】
本考案は、電動マッサージ機の駆動制御装置に係り、特に電波送受式の読み出し専用識別コードＲＯＭ回路内装体により、キャッシュレスで電動マッサージ機を使用可能にした駆動制御装置の改良に関する。
【背景技術】
【０００２】
ゲーム機器やマッサージ機などの時間貸し機器を読み書き可能なＩＤコード（識別コード）ＲＡＭ回路内装体により、キャッシュレスで使用可能にする課金システムとしては、例えば下記の特許文献１の時間貸し機器における課金システムが周知であり、また、バーコード表示体により、キャッシュレスで電動マッサージ機を使用可能にしたものとしては、例えば下記の特許文献２に記載の電動マッサージ機の駆動制御装置が周知である。
【特許文献１】特開２００４−１３９２７０号公報
【特許文献２】実用新案登録第３１１６１１９号公報
【０００３】
上記特許文献１に記載の課金システムは、時間貸し機器の駆動制御部と、個人識別コードを記録した読み書きできるＩＤコードＲＡＭ回路内装体からＩＤコードを読み出したり、上記ＲＡＭ回路内装体に使用料金情報などを書き込むためのＩＤコードリーダライタと、このリーダライタで読み取ったＩＤコードが他所に設けたパソコン内に予め記憶させた特定識別コードに合致したとき点灯する読み取り完了表示部材と、その点灯後に使用者が操作する前記時間貸し機器の駆動開始ボタンスイッチと、その操作により始動するタイマ回路基板と、その出力で前記時間貸し機器の駆動制御部を介して時間貸し機器の駆動部に所定時間だけ作動電流を供給する電磁開閉器とを一つのボックスに収納する。
【０００４】
次いで、上記ボックスを前記時間貸し機器の近傍に配置し、時間貸し機器をキャッシュレスで使用可能にすると共に、その使用料金情報を前述したＩＤコードＲＡＭ回路内装体に前記リーダライタで書き込み記録し、この記録に基づき後で纏めて課金するとした時間貸し機器の課金システムである。
【考案の開示】
【考案が解決しようとする課題】
【０００５】
前記特許文献１で使用するＩＤコードＲＡＭ回路内装体は、読み書きできる高価なＲＡＭ−ＩＣチップを内装した記録内装体てあるため、読み出し専用のＩＤコードＲＯＭ回路内装体よりも著しく高価であり、しかも、この特許文献１における読み書きできるＩＤコードリーダライタは、リーダ機能のほかに、ＩＤコードを上記内装体のＲＡＭ−ＩＣチップに所定情報を書き込むための読み書きできる高価なＩＤコードライタ機能が必要のため、読み出し専用の単なるＩＤコードリーダよりも著しく高価のため、多数の電動マッサージ機それぞれに対し、簡易には個別実装できないという本質的な問題点が有る。
【０００６】
また、前記特許文献１における時間貸し機器の近傍に配置したボックス内には、時間貸し機器の駆動制御部と、読み出し専用の識別コードリーダよりも大型の読み書きできるＩＤコードリーダライタと、読み取り完了表示部材と、時間貸し機器の駆動開始ボタンスイッチと、タイマ回路基板と、電磁開閉器回路基板といったような多くの部材を内装してあるので、必然的に大きなボックスとなり、マッサージ機などの時間貸し機器の周辺で邪魔になり易いという問題点も有る。また、前記特許文献２に使用しているバーコード表示体のバーコード表記は、誰でも通常のコピー機で簡単にコピーできるから、時間貸し機器の不正使用の温床となり易いという本質的かつ、大きな問題点が有る。
【０００７】
本考案は、読み出し専用の識別コード（ＩＤコード）ＲＯＭ回路内装体でキャッシュレス使用できるマッサージ機を安価に多量提供すると共に、マッサージ機の不正使用を防ぎ、かつマッサージ機の隣設ボックスを小型化することを目的とする。
【課題を解決するための手段】
【０００８】
本考案は、座面と、電動マッサージ部材を有する背もたれと、肘掛け部材とを連設した電動マッサージ機を用意すると共に、使用時間を定めた読み出し専用の電波送受式識別コードＲＯＭ回路内装体から識別コードを非接触で読み取る電波送受式識別コードリーダと、このリーダを始動させる自己復帰の読み取り開始スイッチと、電源リレーとをそれぞれ収納したボックスを前記肘掛け部材の脇に隣設する。
【０００９】
一方、前記電源リレーの制御用タイマー回路と、パソコン設定の識別コード照合部とをそれぞれ他所に設置し、前記照合部の照合入力端子と照合開始制御端子とに、それぞれ前記識別コードリーダの読み出し端子と前記読み取り開始スイッチを各別に接続すると共に、前記照合部の照合出力端子に前記リーダの作動制御入力端子と前記タイマー回路のカウント開始入力端子とを接続する。
【００１０】
上記の各構成により、前記リーダからの読み出し識別コードと前記照合部内に予め定めてある特定識別コードを前記照合部で照合し、この照合完了出力で照合結果の如何に拘らず、前記リーダの無用な作動を停止させると共に、照合結果が合致したとき、この合致出力で前記タイマー回路を始動させ、その出力端子に接続したマッサージ機脇の電源リレーを所定時間オン状態にし、前記電動マッサージ部材を前記使用時間を定めた読み出し専用の電波送受式識別コードＲＯＭ回路内装体による所定時間だけ駆動可能にしたことで、本考案の目的は達成できた。
【００１１】
ただし、使用時間を定めない電波送受式識別コードＲＯＭ回路内装体でマッサージ機を使用する場合には、前記タイマー回路にパソコン設定のマッサージ時間記憶部を接続し、この記憶部で記憶したマッサージ機使用時間データを、使用済の前記使用時間を定めない電波送受式識別コードＲＯＭ回路内装体用リーダを設置した精算所（フロント）で呼び出すことで、この精算所においてマッサージ機の使用料金を課金可能にする。
【考案の効果】
【００１２】
この考案によれば、前記特許文献１で使用しているＩＤコードＲＡＭ回路内装体よりも著しく安価な読み出し専用の識別コードＲＯＭ回路内装体と、この文献１における読み書き可能なＩＤコードリーダライタよりも著しく安価な読み取り専用の識別コードリーダとをそれぞれ本考案では用いたので、特定使用者がキャッシュレスで使用できる電動マッサージ機を前記特許文献１のものに比し、著しく安価に多量提供できるという優れた効果が有るし、通常の文書コピー機で簡単にコピーできる前記特許文献２におけるバーコード表示体に対して、本考案で用いる識別コードＲＯＭチップは、一般的には複製不可能で、専用のＲＯＭリードライタにコピー可能キーワードを入力しないと複製が不可能であるから、その不正使用を確実に防止できるという優れた効果も有る。
【００１３】
また、上記各考案によれば、マッサージ機の肘掛け部材の脇には、識別コードリーダと、このリーダを始動させる自己復帰の読み取り開始スイッチと、電動マッサージ部材の電源リレーの収納ボックスとを備えるだけでよいから、特許文献１における前述したような多くの部材を備えた大型のボックスは本考案では必要無く、小型のボックスでよいので、電動マッサージ機の周辺がスッキリし、見栄えもよくなったという優れた効果も有る。
【００１４】
さらに本考案では、前記識別コードリーダ自体を始動させる自己復帰の読み取り開始スイッチで上記リーダを始動させ得ると共に、このリーダからの読み出し識別コードと前記識別コード照合部内に予め設定した特定識別コードとを前記照合部で照合し、この照合完了出力で照合結果の如何に拘らず、前記識別コードリーダの作動を停止させ得るので、マッサージ機の使用中または待機中には、識別コードリーダの無用な動作を阻止できるので、リーダの耐用寿命の延命化が図れると共に、省エネ効果も有る。
【００１５】
本考案における請求項３の考案によれば、前記タイマー回路にマッサージ時間記憶部を接続し、この記憶部で記憶した使用時間データを、使用済の識別コードＲＯＭ回路内装体用リーダを設置したフロントなどの精算所で呼び出すことで、使用時間を定めない電波送受式識別コードＲＯＭ回路内装体でマッサージ機を使用した場合に、上記精算所においてマッサージ機の使用料金を一括して精算し、課金できるという効果を付加できた。
【００１６】
本考案における請求項４の考案のように、前記識別コードＲＯＭ回路内装体として、識別コードＲＯＭ回路による回路を内装した耐水性リストバンドを用いれば、入浴時とか、遊泳中に識別コードＲＯＭ回路内装体が邪魔にならないという効果を付加できた。
【００１７】
本考案における請求項５の考案のように、前記識別コードＲＯＭ回路内装体として、識別コードＲＯＭ回路による回路を内装したカードを用い、このカードをポケットなどに入れ携行すれば、歩行中などに識別コードＲＯＭを内装したカードが邪魔にならない。
【００１８】
本考案における請求項６の考案のように、前記電源リレーに２方向性のシリコン制御整流素子（２方向性ＳＣＲ素子）による無接点式電源リレーを用いることで、偏平軽量の半導体電源リレー回路を構成できるという効果を付加できた。
【考案を実施するための最良の形態】
【００１９】
本考案を実施するための最良の形態例は、例えば図１のように、座面１と、脚載せ部１Ａと、電動マッサージ部材を内装した背もたれ２と、肘掛け部材３とをそれぞれ連設した電動マッサージ機４を用意する一方、使用時間を定めた識別コードを専用ＲＯＭライタなどで記録したＲＯＭチップと、電波送受用の超小型偏平ループアンテナなどを内装した例えばプリペィド（前払い）式の読み取り専用識別コードＲＯＭ回路内装体（リストバンドなどでよいので図示せず）から識別コードを非接触で読み取る電波送受用のループアンテナを内装した周知の識別コードリーダ５と、このリーダ５を使用者が始動させる自己復帰の読み取り開始スイッチＳＷと、その操作ボタンＳとを図１・図２のように備えたマッサージ部材用電源リレー６の収納ボックスＢを前記肘掛け部材３の脇に支持部材３Ａを介し、図１のように周知の固定手段で隣設する。
【００２０】
一方、前記電源リレー６の電流開閉部を前記電動マッサージ部材と、その電源プラグＰ（図１参照）との間に介在する一方、上記各電源リレー６をオン・オフ制御するためのタイマー回路７と、他のマッサージ機と共用可能な識別コード照合部８とをそれぞれ図１のように集中管理室などの他所に設置し、上記照合部８の照合入力端子Ｔ１と照合開始制御端子Ｔ２とに、それぞれ前記識別コードリーダ５の読み出し端子Ｔ３と前記読み取り開始スイッチＳＷのホット側端子ＳＯを同図１のように各別に接続すると共に、前記照合部８の照合出力端子Ｔ４に前記リーダの作動制御入力端子Ｔ５と前記タイマー回路７のカウント開始入力端子Ｔ６とを同図１のように接続する。
【００２１】
なお、前記電源リレー６には、通常の開閉接点式の電磁リレーや、２方向性のシリコン制御整流素子（２方向性ＳＣＲ素子）による無接点式電源リレー６を採用でき、また、識別コードＲＯＭ回路内装体は、コピー可能キーワードを知らないと複製が不可能なので、その不正使用を確実に防止できる。
【００２２】
上記の各構成を採用することで、前記リーダ５からの読み出し識別コードと前記識別コード照合部８内に予め設定した特定識別コードとを前記照合部８で照合し、この照合完了出力で照合結果の如何に拘らず、前記リーダ５の無用な読み取り作動を停止させると共に、照合結果が合致したとき、前記照合出力端子Ｔ４に生じた合致出力で前記駆動タイマー回路７を始動させ、その出力端子Ｔ７に励磁コイル端子Ｔ８または、ゲート入力端子Ｔ８を接続した前記電源リレー６を前記識別コードＲＯＭ回路内装体で定めた使用時間だけオン状態にすることで、電動マッサージ部材を前記電源プラグＰを経た電力で所定時間だけ駆動可能にした本考案による電動マッサージ機の駆動制御装置を構成できた。
【００２３】
ただし、使用時間を定めない電波送受式識別コードＲＯＭ回路内装体でマッサージ機を使用する場合には、前記タイマー回路７を他のマッサージ機と共用可能なマッサージ時間記憶部９に図１のように接続し、この記憶部で記憶したマッサージ機使用時間データを、使用済識別コードＲＯＭ回路内装体用リーダ５Ａを設置した精算所（フロント）で呼び出すことで、この精算所においてマッサージ機の使用料金を課金可能にする。
【００２４】
なお、前記識別コード照合部８とマッサージ時間記憶部９とを他の複数のマッサージ機と共用可能にするには、複数の上記各部８・９をそれぞれ共用接続用インターフェイス回路を介してパソコンに入力設定すればよく、また、マッサージ部位を使用者が選択設定するため、図１のようなマッサージ部位設定用のリモコン１０を設ければ、そのボタン操作により、使用者の好みに応じた木目の細かいマッサージも可能であるが、前記電動マッサージ部材に使用者の肩から腰に掛けて満遍なくマッサージするマッサージ機を用いた場合には、上記リモコン１０は当然に省略できる。
【００２５】
本考案によるマッサージ機の駆動制御装置は、以上のような構成となしたので、これを使用するに当たり、使用者はマッサージ機４に腰掛けた後、その脇のボックスＢの上面に図１のように配置した自己復帰の読み取り開始スイッチＳＷの操作ボタンＳを押して前記識別コードリーダ５を読み取り可能状態にスタンバイさせた後、使用時間を定めた読み出し専用の電波送受式識別コードＲＯＭ回路内装体（リストバンドやカード）を識別コードリーダ５の非導電上面板の下部に平設したアンテナ（図示せず）に接近させることで、上記ＲＯＭ回路内装体の識別コードを上記リーダ５から非接触で読み出せる。
【００２６】
上記読み出した識別コードは、図１のように他所に設置した前記識別コード照合部８に送り、この照合部８内に予め設定してある特定識別コードと、上記読み出し識別コードとを照合部８で照合し、この照合完了出力で照合結果の如何に拘らず、前記リーダ５の無用な作動を停止させ得ると共に、照合結果が合致したとき、この合致出力で前記タイマー回路７を始動させ、その出力端子Ｔ７に接続した前記マッサージ機脇の電源リレー６を前記使用時間を定めたＲＯＭ回路内装体による所定時間だけオン状態にすることで、前記電動マッサージ部材を前記電源プラグＰを経た電力で上記所定時間だけ駆動可能にできた。
【実施例】
【００２７】
ただし、使用時間を定めない識別コードＲＯＭ回路内装体でマッサージ機を使用する場合は、前記タイマー回路７に前述したような他のマッサージ機と共用できるマッサージ時間記憶部９を接続し、ここで記憶した使用時間データを使用済識別コードＲＯＭ回路内装体を読み取る識別コードリーダ５Ａを設置したフロントなどの精算所で呼出すことで、この精算所においてマッサージ機４のトータル使用料金を精算し、一括して課金できる。
【産業上の利用可能性】
【００２８】
本考案によるマッサージ機の駆動制御装置は、ゲーム機などの他の時間貸し機器の駆動制御装置としても利用できる。
【図面の簡単な説明】
【００２９】
【図１】本考案の実施形態の一例を示す構成図
【図２】識別コードリーダとボックスとの関連を示す斜視図
【符号の説明】
【００３０】
１  座面
１Ａ  脚載せ部
２  背もたれ
３  肘掛け部材
３Ａ  ボックス支持部材
４  電動マッサージ機
５  電波送受式識別コードリーダ
５Ａ  使用済識別コードＲＯＭ回路内装体用リーダ
６  電動マッサージ機の電源リレー
７  電源リレー用タイマー回路
８  他のマッサージ機と共用可能な識別コード照合部
９  他のマッサージ機と共用可能なマッサージ時間記憶部
１０  マッサージ部位設定リモコン
Ｂ  電源リレーなどの収納ボックス
ＳＷ  読み取り開始スイッチ
ＳＯ  読取り開始スイッチのホット側端子
Ｔ１  照合入力端子
Ｔ２  照合開始制御端子
Ｔ３  識別コードリーダの読み出し端子
Ｔ４  照合出力端子
Ｔ５  識別コードリーダの作動制御入力端子
Ｔ６  タイマー回路のカウント開始入力端子
Ｔ７  タイマー回路の出力端子
Ｔ８  電源リレーの励磁コイル端子またはゲート入力端子
【図１】
0003124930.tif 000003
【図２】
0003124930.tif 000004